(57)【要約】【課題】自動車の前部座席のヘッドレスト部に固定され、後部座席のユーザが映像を鑑賞するためのＤＶＤプレーヤ等の映像・音響機器の載置台において、回動支点構造を改良することによって、ロック爪の変形に伴うロック構造を回避し、ロック爪およびロック穴の強度の確保およびユーザの使用時における操作感の劣化を回避するようにした機器の載置台を提供する。【解決手段】回動体１２を受け部材１１側に対して回動可能に支持する軸受３８の穴を長孔３９から構成し、回動体１２に支持される機器２３の重量に抗して回動体１２を持上げてロック爪４１を被ロック部４２に係合させるようにする。【選択図】図９
2008155695.tif 000002
【特許請求の範囲】
【請求項１】
基体上に取付けられた受け部材と、
前記受け部材に対して回動自在になっている回動体と、
を具備し、前記回動体を前記受け部材または前記基体に対して回動可能に支持する軸受の穴が長孔から構成され、
前記回動体に支持される機器の重量に抗して前記回動体を持上げてロック爪を被ロック部上に位置するように前記回動体を回動させ、前記機器の重量によって前記回動体を下降させると前記ロック爪が前記被ロック部に係合されてロックされるようにしたことを特徴とする機器の載置台。
【請求項２】
前記回動体側に前記軸受の長孔から成る穴が設けられるとともに、前記受け部材または前記基体側に支軸が設けられることを特徴とする請求項１に記載の機器の載置台。
【請求項３】
前記回動体側に前記軸受の支軸が設けられるとともに、前記受け部材または前記基体側に前記軸受の長孔から成る穴が設けられることを特徴とする請求項１に記載の機器の載置台。
【請求項４】
前記回動体の内側であって下部に支持部が設けられ、該支持部によって前記機器を受けることを特徴とする請求項１に記載の機器の載置台。
【請求項５】
前記支持部によって受けられる機器の重量が前記回動体を前記軸受を中心として前記受け部材側に閉じるような回転モーメントを生ずることを特徴とする請求項４に記載の機器の載置台。
【請求項６】
前記受け部材に弾性片が設けられ、前記回動体を前記受け部材側に回動させると、前記機器が前記弾性片によって前記回動体に対して押圧されて当接部に圧着されることを特徴とする請求項１に記載の機器の載置台。
【請求項７】
前記被ロック部と係合するロック爪が弾性変形せず、剛体として機能することを特徴とする請求項１に記載の機器の載置台。
【請求項８】
スピーカを備える基体上に取付けられた受け部材と、
前記受け部材に対して回動自在になっている回動体と、
を具備し、前記回動体を前記受け部材または前記基体に対して回動可能に支持する軸受の穴が長孔から構成され、
前記回動体に支持されかつスピーカを有しない再生機器の重量に抗して前記回動体を持上げてロック爪を被ロック部上に位置するように前記回動体を回動させ、前記再生機器の重量によって前記回動体を下降させると前記ロック爪が前記被ロック部に係合されてロックされるようにしたことを特徴とする機器の載置台。
【請求項９】
前記再生器がディスク状記録媒体に書込まれている信号を再生するディスクプレーヤであることを特徴とする請求項８に記載の機器の載置台。
【請求項１０】
前記ディスクプレーヤが光学的な手段によって信号を再生する光ディスクプレーヤであることを特徴とする請求項９に記載の機器の載置台。
【請求項１１】
前記再生器が携帯式の情報端末であることを特徴とする請求項８に記載の機器の載置台。
【請求項１２】
前記再生器が携帯式のナビゲーション機器であることを特徴とする請求項８に記載の機器の載置台。
【発明の詳細な説明】
【技術分野】
【０００１】
本発明は機器の載置台に係り、とくに受け部材に対して回動自在になっている回動体を回動させて機器を受け部材側に移動させるようにした機器の載置台に関する。
【背景技術】
【０００２】
映像機器や音響機器を保護しかつ固定するために、機器の載置台が用いられる。従来の機器の載置台は、例えば図１１に示される構造になっている。すなわち載置台は、回動体１２と受け部材１１の２つの主要な部品を備えている。映像機器あるいは音響機器等の機器２３は、回動体１２と受け部材１１とに挟まるようにしてこの載置台内に格納されるようになっている。そしてベルト等を利用して受け部材１１を外部固定物に固定することによって、機器２３をユーザが手で把持を維持することなく、様々な場所での利用が可能になる。実用例としては、受け部材１１を自動車の前部座席のヘッドレスト部に固定し、後部座席のユーザが映像あるいは音楽を鑑賞する等の利用方法が挙げられる。
【０００３】
この場合に、受け部材１１および機器２３は、常に振動および衝撃を受けることになり、このために載置台は回動体１２の誤開放によって、機器２３を脱落させることのない構造および強度を確保する必要がある。またユーザが、機器２３の光ディスク等の再生メディアを交換する場合に、回動体１２の開放動作はできるだけ簡易なものが望まれる。このような開放動作は、図１１Ｂに示すようにまず受け部材１１を開放して行なう。また場合によっては、図１１Ｃに示すように、機器２３をこの載置台から取外したり、あるいはまたこの載置台に装着する動作を行なうことになるが、この場合においても、回動体１２が開放されることになる。
【０００４】
機器２３をその内側に保持して回動させる回動体１２は、軸受３８によって回動可能に支持される。ここで軸受３８は、軸受穴３９と、この軸受穴３９に嵌合する支軸４０とから構成され、支軸４０が受け部材１１側に取付けられている。図１１Ｂに示すように、回動体１２を回動させて図１１Ｂの位置へ移動させると、機器２３も同時に回動され、これによって光ディスクの交換を行なうことができ、あるいはまた図１１Ｃに示すようにこの載置台から機器２３を取出すことが可能になる。
【０００５】
次にこのような載置台の回動体１２のロック機構を、図１２によって説明する。受け部材１１側には穴から成る被ロック部４２が形成されており、これに対して回動体１２側にはロック爪４１が設けられている。回動体１２を開放およびロックする際には、ロック爪４１は図１２Ａの状態と図１２Ｂの状態を、全体の変形を伴いながらとることになる。従ってロック爪４１は、図１２Ａおよび図１２Ｂの開閉動作に耐えるばかりでなく、低温・高温環境下における動作に耐える強度を確保する必要がある。さらに振動や衝撃等によって機器２３が回動体１２に内圧を負荷した場合には、この負荷に耐えて誤開放を防ぐために、ロック爪４１の先端部の強度を十分に確保する必要がある。しかし、一方でロック爪４１の変形強度を大きくし過ぎると、ユーザによる開閉の際に重くなって操作感を悪化させることになる。
【０００６】
このような操作感の劣化を防止するために、例えば図１３に示すように、ロックレバー５１をピン５２を介して回動体１２の上端部に取付けるようにすることが考察される。しかしながらこのような構造は、回動体１２のピン５２を設ける部分の強度を確保するとともに、ロックレバー５１やピン５２等の部品点数の増加によって構造が複雑化し、コストが増加する欠点がある。
【０００７】
実公昭５９−２１５５９号公報には、互いに平行な一対の側板を底板の両側に略垂直に設けて成るケースに、このケースと略同一形状を成す回動体を、両側の側板の端部を重合わせ且つ両者の側板が略直交するようにしてネジ止めにより固定し、上記ケースと上記回動体とのうちの一方の側板の上記重合部分に絞り加工による半球状の突起を設けると共に他方の側板に上記突起が嵌合される長孔をその長手方向が上記垂直方向と略平行になるように設け、この際、上記突起の高さと上記長孔の深さとが略一致するように成し、上記固定状態では上記突起を上記長孔の上記底板側の端部に配し、上記ネジ止めを解除して上記回動体を回動させるときは上記突起を上記端部から移動させ、この移動させた突起を中心として上記回動体を回動させることにより、上記突起が上記長孔から抜け出すようにしたケースの開放機構が開示されている。
【０００８】
このような開閉機構における突起と長孔とから成る軸受構造は、本願の機器の載置台における回動体の軸受構造に似ているものの、ロック爪との関係においてこのような軸受の構造を提案するものではない。すなわち上記の構成によっても、本願の課題であって、回動支点構造のみによって部品変形に伴うロック構造を回避し、ロック爪および軸受穴の強度の確保、およびユーザの使用時の操作感の劣化を廃するようにした本願の課題を解決することはできない。
【特許文献１】実公昭５９−２１５５９号公報
【特許文献２】実公昭４４−２０８３１号公報
【発明の開示】
【発明が解決しようとする課題】
【０００９】
本願発明の課題は、回動体の回動支点構造の改良のみによって部品の変形を伴うロック構造を回避するようにした機器の載置台を提供することである。
【００１０】
本願発明の別の課題は、ロック爪および被ロック部の強度の確保と、ユーザの使用時の操作感の劣化の相関を回避するようにした機器の載置台を提供することである。
【００１１】
本願発明のさらに別の課題は、部品点数を増加させることなく、しかも回動体を確実にロックできるようにした機器の載置台を提供することである。
【００１２】
本願発明のさらに別の課題は、ユーザの使い勝手を損なうことなく、しかも誤開放による不具合の発生を無くすようにした機器の載置台を提供することである。
【００１３】
本願発明の上記の課題および別の課題は、以下に述べる本願発明の技術的思想、およびその実施の形態によって明らかにされる。
【課題を解決するための手段】
【００１４】
本願の主要な発明は、基体上に取付けられた受け部材と、
前記受け部材に対して回動自在になっている回動体と、
を具備し、前記回動体を前記受け部材または前記基体に対して回動可能に支持する軸受の穴が長孔から構成され、
前記回動体に支持される機器の重量に抗して前記回動体を持上げてロック爪を被ロック部上に位置するように前記回動体を回動させ、前記機器の重量によって前記回動体を下降させると前記ロック爪が前記被ロック部に係合されてロックされるようにしたことを特徴とする機器の載置台に関するものである。
【００１５】
ここで、前記回動体側に前記軸受の長孔から成る穴が設けられるとともに、前記受け部材または前記基体側に支軸が設けられてよい。また前記回動体側に前記軸受の支軸が設けられるとともに、前記受け部材または前記基体側に前記軸受の長孔から成る穴が設けられてよい。また前記回動体の内側であって下部に支持部が設けられ、該支持部によって前記機器を受けてよい。また前記支持部によって受けられる機器の重量が前記回動体を前記軸受を中心として前記受け部材側に閉じるような回転モーメントを生ずるようにしてよい。また前記受け部材に弾性片が設けられ、前記回動体を前記受け部材側に回動させると、前記機器が前記弾性片によって前記回動体に対して押圧されて当接部に圧着されてよい。また前記被ロック部と係合するロック爪が弾性変形せず、剛体として機能するようにしてよい。
【００１６】
本願の別の主要な発明は、スピーカを備える基体上に取付けられた受け部材と、
前記受け部材に対して回動自在になっている回動体と、
を具備し、前記回動体を前記受け部材または前記基体に対して回動可能に支持する軸受の穴が長孔から構成され、
前記回動体に支持されかつスピーカを有しない再生機器の重量に抗して前記回動体を持上げてロック爪を被ロック部上に位置するように前記回動体を回動させ、前記再生機器の重量によって前記回動体を下降させると前記ロック爪が前記被ロック部に係合されてロックされるようにしたことを特徴とする機器の載置台に関するものである。
【００１７】
ここで、前記再生器がディスク状記録媒体に書込まれている信号を再生するディスクプレーヤであってよい。また前記ディスクプレーヤが光学的な手段によって信号を再生する光ディスクプレーヤであってよい。また前記再生器が携帯式の情報端末であってよい。また前記再生器が携帯式のナビゲーション機器であってよい。
【００１８】
本願発明の好ましい態様は、光ディスクプレーヤから成る映像・音響機器を保護し固定する際に利用される機器の載置台における、回動支点により開放動作する回動体を有する機器のロック機構の改善に関するものであって、回動体の軸受の穴を長孔から構成し、機器を受入れた回動体を上記軸受の長孔の穴を利用して持上げてロック爪を被ロック部に係合させるようにしたものであって、機器の使用中に振動や衝撃を受ける場合の環境下において、この機構を有するケースが内部機器を安定に保持し、回動体の誤開放の心配を無くし、また部品点数の少ない簡潔な構造とすることによって、強度を確保可能にし、しかも材料コストを抑えるようにしたものであって、ユーザが開放させたいときには容易に開放できるようにしたものである。
【００１９】
このような態様によると、映像・音響機器を保持・固定する載置台を設計および製品化する際に、設計期間を短縮し、材料費を削減し、環境に依存しない構造にすることによって、評価・確認工数を削減し、高精度を必要としない安定した量産性を確保し、さらには誤開放を回避して信頼性向上によるユーザへの安全面の確保を可能にし、また最小部品点数構成とすることができる。
【発明の効果】
【００２０】
本願の主要な発明は、基体上に取付けられた受け部材と、受け部材に対して回動自在になっている回動体と、を具備し、回動体を受け部材または基体に対して回動可能に支持する軸受の穴が長孔から構成され、回動体に支持される機器の重量に抗して回動体を持上げてロック爪を被ロック部上に位置するように回動体を回動させ、機器の重量によって回動体を下降させるとロック爪が被ロック部に係合されてロックされるようにしたものである。
【００２１】
従ってこのような機器の載置台によると、回動体内に機器を配し、この機器を受け部材側に回動させるとともに、機器の重量に抗して上記回動体を持上げることによって、ロック爪を被ロック部に係合させてロックさせることが可能になる。またロック解除を行なう場合には、閉じられた回動体を機器の重量に抗して持上げてロック爪を被ロック部から離脱させればよい。
【００２２】
本願の別の主要な発明は、スピーカを備える基体上に取付けられた受け部材と、受け部材に対して回動自在になっている回動体と、を具備し、回動体を受け部材または基体に対して回動可能に支持する軸受の穴が長孔から構成され、回動体に支持されかつスピーカを有しない再生機器の重量に抗して回動体を持上げてロック爪を被ロック部上に位置するように回動体を回動させ、再生機器の重量によって回動体を下降させるとロック爪が被ロック部に係合されてロックされるようにしたものである。
【００２３】
従ってこのような機器の載置台によると、スピーカを有しない再生機器を回動体の内側に装着し、この回動体を回動させて受け部材側に回動させることにより、上記再生機器が安定に載置台に載置され、ロック爪が被ロック部に係合して回動体がロックされ、再生機器は使用位置において安定に保持される。ここでロック爪は回動体を回動させる際に持上げることによって被ロック部に係合させるようにしているために、ロック動作の際に弾性変形を伴うことがなくなり、回動支点構造の工夫のみによって部品変形を伴うロック構造を回避することが可能になる。しかも、ロック爪および被ロック部の材料や構造の強度を十分に確保可能であり、その強度確保はユーザの使用時の操作感に悪影響を与えない。
【発明を実施するための最良の形態】
【００２４】
以下本願発明を図示の実施の形態によって説明する。図１〜図５は本発明の一実施の形態に係る機器の載置台の全体の構成を示すものであって、この載置台は、図１に示すように、基体１０と、この基体１０の上側であって背面側に配される受け部材１１と、受け部材１１に対してその前面側に回動可能に取付けられる回動体１２とから構成される。なおこのような載置台は、例えばＤＶＤプレーヤ２３等の光ディスクを記録媒体とする再生機器の載置台として用いられる。
【００２５】
図２および図４に示すように、基体１０は基台１５とフロントパネル１６とから構成される。ここで基台１５の前面側であってフロントパネル１６の背面側に、左右一対の小型スピーカ１７が配される。これらのスピーカ１７は、フロントパネル１６の放音孔１８を通して前方側に音声を出力するようになっている。これに対して基台１５の内部には、図２に示すように回路基板１９が収納されるとともに、この回路基板１９上に音声の再生回路が設けられている。そしてこの回路基板１９の音声の再生回路に対して音声信号を供給するための信号ケーブル２０が上記回路基板１９に接続されている。信号ケーブル２０の先端部にはプラグ２１が接続されている。
【００２６】
上記プラグ２１は、図４および図５に示すように、ＤＶＤプレーヤ２３の外側面のジャック２４に挿入されて音声信号を基台１５内の回路基板１９上の音声の再生回路に供給するようにしている。なおジャック２４は、回動体１２の側板の部分に形成されている開口２５に臨むようになっている。
【００２７】
上記受け部材１１の前面側に取付けられる回動体１２には、その前面側に大きな開口２６が形成され、このような開口２６を通して、上記ＤＶＤプレーヤ２３の前面側であって表示パネル２８の部分を目視によって見ることができるようになっている。すなわち表示パネル２８が映像の出力端を構成している。そしてこのような表示パネル２８を保護するために、開口２６の部分に開閉自在にシャッタ２７が配されている。シャッタ２７は、不使用時に上記ＤＶＤプレーヤ２３の表示パネル２８を保護するとともに、使用時には下方に下降させるようにし、これによってシャッタ２７がＤＶＤプレーヤ２３と受け部材１１との間の隙間に挿入するようになっている。なおシャッタ２７は、柔軟な例えばポリプロピレン樹脂シート等のシート状の部材から構成されている。
【００２８】
図６および図７は、上記受け部材１１に対して回動体１２を前方側へ回動させたときの状態を示しており、例えば光ディスク３３を交換する際には、上記回動体１２を前方側へ回動させる。すなわち受け部材１１に対して回動体１２を前方側へ倒すことによって、このＤＶＤプレーヤ２３の光ディスク３３の装着部を覆う蓋板３２が露出する。従って図７に示すように、蓋板３２を開放させることによって、光ディスク３３の装着部が露出することになる。従って光ディスク３３を取出したり、あるいはまた新たな光ディスク３３をこの装着部に装着することができ、メディアの交換が行なわれることになる。
【００２９】
次に上記回動体１２の回動支持の構造を図８および図９によって説明する。回動体１２には回動支点となる支軸３８と嵌合する長孔から成る軸受穴３９が設けられており、上記軸受穴３９と受け部材１１側の支軸４０とによって軸受３８が構成されている。そして上記長孔３９によって、図９Ａおよび図９Ｂに示すように、回動体１２は回動動作のみならず、受け部材１１に対する上下方向の移動をも可能にしている。なおここで、回動体１２の支持部３７によってＤＶＤプレーヤ２３を受けた状態においては、このＤＶＤプレーヤ２３の重量によって、回動体１２は下方に移動した状態になり、このような状態で図８Ａおよび図８Ｂに示すような開閉動作が行なわれる。
【００３０】
回動体１２が閉じられているときには、内部に支持部３７を介して保持したＤＶＤプレーヤ２３の重量によって、回動体１２のロック爪４１は常に受け部材１１側の被ロック部４２方向の内力が負荷されており、このために不測に開放動作することがない。そしてユーザが回動体１２に対して図９Ｂに示すように、上方への力Ｆ１を加えるとともに回動運動を与えると、支軸４０が相対的に長孔３９内を下方へ移動し、このような動作によって回動体１２が相対的に受け部材１１に対して上方に移動する。従ってロック爪４１が被ロック部４２から離脱し、これによって回動体１２は開放動作を始める。逆に回動体１２を閉じる際には、図９Ｃに示すように、ロック爪４１の先端側に設けられた傾斜面４３に沿って回動体１２が移動し、このロック爪４１が被ロック部４２の位置に達したときに被ロック部４２内にロック爪４１の先端部が落下してロックされる。
【００３１】
このような構造によると、ロック爪４１は回動体１２の長孔３９によって開閉な必要なストロークを得るために、このロック爪４１の変形を伴わず、ロック爪４１は剛体として機能する。従ってロック爪４１の剛性および硬度は、開閉操作の使用感に悪影響を与えることがなく、設計時には十分な強度を得ることができる。
【００３２】
次に使用中に振動や衝撃を受け、内部に収納されたＤＶＤプレーヤ２３の重量による内力が周囲に与える場合を考える。このような力はあらゆる方向に加えられるが、回動体１２のロック爪４１が開放される方向へ衝撃が発生した場合でも、受け部材１１の被ロック部４２を構成する穴の内壁によって回動体１２が移動することがない。また回動体１２が開放する回転方向への力を受けた場合でも、ロック爪４１は操作感に悪影響を与えることがなく、機械的強度を十分に上げておくことが可能であり、設計時にこのような点を考慮できる。
【００３３】
一方でユーザが回動体１２を開放する場合には、支持部３７を介して支持されるＤＶＤプレーヤ２３の機器の重量に打勝つだけの外力を与えてやれば容易に開放可能であり、低温や高温等の環境条件にも依存しない。また本実施の形態の構造は、部品点数を増加させることなく、支軸４０と軸受穴３９とから成る軸受３８の構造の工夫のみで実現しており、部品点数が増加することなく、材料費の増加もない。なお支持部３７は、その上にＤＶＤプレーヤ２３が載置されると、図９に示されるように、回動体１２を閉じる方向に回転モーメントを付与するようにしている。
【００３４】
このような構成は、軸受３８の工夫のみによって、ロック爪４１の変形を伴うロック構造を回避することが可能になり、またロック爪４１や被ロック部４２の強度の確保、およびユーザの使用時の操作感の相関を回避することが可能になる。さらに部品点数を増加させることなく、設計要素を簡素化し、ユーザの使い勝手を損なうことがなく、誤開放による不具合の発生を無くし、製品の品質・信頼性を向上させることが可能になる。
【００３５】
なお上記実施の形態は、軸受３８の長孔から成る軸受穴３９を回動体１２側に設けるとともに、支軸４０を受け部材１１側に設けるようにしているが、このような構成に代えて、回動体１２側に支軸４０を設けるようにし、これに対して受け部材１１側に長孔から成る軸受穴３９を設けるようにしてもよい。また受け部材１１に軸受３８の支軸４０あるいは軸受穴３９を設ける代わりに、基体１０の上端側の部分に、軸受３８の支軸４０あるいは軸受穴３９を設けるようにしてもよい。
【００３６】
次に別の実施の形態を図１０によって説明する。この実施の形態は、受け部材１１側に弾性片４６を内側に突出するように設けるとともに、この弾性片４６によってＤＶＤプレーヤ２３に対して背面側から回動体１２側へ押圧力を付与するようにしており、これによってＤＶＤプレーヤ２３が回動体１２の当接部４８に当接して安定に保持されるようにしている。なお回動体１２の前面側には透明板４７が装着され、この透明板４７によってＤＶＤプレーヤ２３の表示パネル２８が前方から見えるようにしている。
【００３７】
このような実施の形態によると、とくに弾性片４６と当接部４８とを介してＤＶＤプレーヤ２３を受け部材１１と回動体１２とによって挟着した状態で安定に保持することが可能になる。
【００３８】
以上本願発明を図示の実施の形態によって説明したが、本願発明は上記実施の形態によって限定されることなく、本願発明の技術的思想の範囲内において各種の変更が可能である。例えば上記実施の形態における載置台内に収納される機器としては、必ずしもＤＶＤプレーヤに限定されることなく、その他各種の機器を収納することができる。例えばＣＤプレーヤや、携帯情報端末等を載置して収納するようにしてもよい。あるいはまた携帯式のナビゲーション機器を収納して保持するようにしてもよい。また収納される機器の種類や寸法に応じて、この載置台の形状や寸法を任意に設計変更することが可能である。
【産業上の利用可能性】
【００３９】
本願発明は、例えばＤＶＤプレーヤを自動車の前部座席のヘッドレスト部に固定し、後部座席からユーザが映像を鑑賞するのに用いて好適な機器の載置台として利用できる。
【図面の簡単な説明】
【００４０】
【図１】機器の載置台の全体の構成を示す外観斜視図である。
【図２】同機器の載置台の分解斜視図である。
【図３】同機器の載置台の平面図である。
【図４】同機器の載置台の正面図である。
【図５】同機器の載置台の左側面図および回動体を開いた状態の右側面図である。
【図６】回動体を開いた機器の載置台の外観斜視図である。
【図７】光ディスクの交換の動作を示す外観斜視図である。
【図８】回動体の回動動作を示す要部縦断面図である。
【図９】回動体のロック動作を示す要部縦断面図である。
【図１０】別の実施の形態の機器の載置台の縦断面図である。
【図１１】従来の機器の載置台の回動体の回動動作を示す要部縦断面図である。
【図１２】同回動体のロック機構を示す縦断面図である。
【図１３】ロックレバーを別に設けた構成の縦断面図である。
【符号の説明】
【００４１】
１０…基体、１１…受け部材、１２…回動体、１５…基台、１６…フロントパネル、１７…スピーカ、１８…放音孔、１９…回路基板、２０…信号ケーブル、２１…プラグ、２３…ＤＶＤプレーヤ、２４…ジャック、２５、２６…開口、２７…シャッタ、２８…表示パネル、３２…蓋板、３３…光ディスク、３７…支持部、３８…軸受、３９…長孔（軸受穴）、４０…支軸、４１…ロック爪、４２…被ロック部、４３…傾斜面、４６…弾性片、４７…透明板、４８…当接部、５１…ロックレバー、５２…ピン
【図１】
2008155695.tif 000003
【図２】
2008155695.tif 000004
【図３】
2008155695.tif 000005
【図４】
2008155695.tif 000006
【図５】
2008155695.tif 000007
【図６】
2008155695.tif 000008
【図７】
2008155695.tif 000009
【図８】
2008155695.tif 000010
【図９】
2008155695.tif 000011
【図１０】
2008155695.tif 000012
【図１１】
2008155695.tif 000013
【図１２】
2008155695.tif 000014
【図１３】
2008155695.tif 000015